(57)【要約】【課題】  透明素材の筺体に表示画面が浮いた印象を利用者に抱かせることが可能な薄型表示装置を提供する。【解決手段】  表示装置本体２０の前面に外周に張り出して形成される透明素材で形成される透明枠体１１を形成し、この透明枠体１１の前面に、表示装置本体２０の外周より外側に張り出した遮蔽手段６０を設けた薄型表示装置１。【選択図】  図１
2012208317.tif 000002
【特許請求の範囲】
【請求項１】
表示装置本体の前面に外周に張り出して形成される透明素材で形成される透明枠体を形成し、この透明枠体の前面に、表示装置本体の外周より外側に張り出した遮蔽手段を設けた
ことを特徴とする薄型表示装置。
【請求項２】
請求項１に記載の薄型表示装置において、
前記遮蔽手段は、
前記表示装置本体の非通電時の表示画面と同等の暗調子の色彩を備え、
前記表示装置本体の前面に形成される表示画面を覆う大きさを備えて前記透明枠体の前面に取り付けられるシート状の透明パネルの外周に設けられている
ことを特徴とする薄型表示装置。
【請求項３】
請求項２に記載の薄型表示装置において、
前記遮蔽手段は、正面から見て表示画面と連続するように透明パネルの外周に付された裏面印刷である
ことを特徴とする薄型表示装置。
【請求項４】
請求項１から３の何れかに記載の薄型表示装置において、
前記透明枠体は、表示装置本体の外周を保持する透明部材である
ことを特徴とする薄型表示装置。
【請求項５】
請求項１から３の何れかに記載の薄型表示装置において、
前記透明枠体は、表示装置本体の前面を覆う板状の透明部材である
ことを特徴とする薄型表示装置。
【請求項６】
請求項１から５の何れかに記載の薄型表示装置において、
前記透明枠体は、光の屈折率が１４以上を備えた透明材料で形成され、
前記遮蔽手段は、暗調子が施された表示装置本体の表示画面の端部から前記透明枠体の厚さの１／２以上に設定され、
前記表示装置本体の外周を覆う構造体は、表示画面の投影面積内に収められている
ことを特徴とする薄型表示装置。
【発明の詳細な説明】
【技術分野】
【０００１】
本発明は、表示画面の周囲を透明な素材で覆った薄型表示装置に関するものである。
【背景技術】
【０００２】
薄型表示装置は、近年の技術革新により薄型化が進んでおり、中には、筺体の奥行き寸法が１０ｍｍ程度のものが提案されている。しかし、多くの薄型表示装置は、液晶表示部やプラズマ表示部の表示装置の裏面側にバックライトや基板を取り付けているため、ある程度の奥行きをもって形成されている。このため、この奥行き方向の厚みを利用者に感じさせないために、従来の多くの表示装置は、表示画面の周囲のフロントパネルを後方のバックパネルより外側に張り出して設けることにより、バックパネルをフロントパネルの陰に隠して形成されている。
【０００３】
一方、従来技術の中には、透明な素材で薄型表示装置の前面全体を覆ったフルフラットと呼ばれる構造を備えた薄型表示装置が脚光を浴びている。特に、従来技術の中には、透明材料で形成される板材の裏面側に表示装置を取り付けて、従来型のパネル型表示装置と比較してベゼルによる外周枠形状を無くすことによって、薄型感が一層強調され、フラットな表示面に画像が空間に浮いた独特の表示が行われるいわゆるフローティング表示が行われる技術が提案されている。
【先行技術文献】
【特許文献】
【０００４】
【特許文献１】特開２００５-７０６６２号公報
【発明の概要】
【発明が解決しようとする課題】
【０００５】
前記従来技術のフローティング表示によれば、外周部への広がり感を与えて大型画面感を得え、かつ前面部の表示面積効率の向上を図ることができる。しかし、この従来例の構造は、透明材料の板材の裏面に取り付けられる表示装置や、この表示装置を板材に取り付けるための結合部位を目隠しする目隠し枠部を透明板材の裏面側に設けている。このため、正面から視認する利用者から表示装置や結合部位を隠蔽するためには、目隠し枠部の幅を広くしなければならないという課題がある。
【０００６】
そこで、この発明の目的は、透明素材の筺体に表示画面が浮いた印象を利用者に抱かせることが可能な薄型表示装置を提供することにある。
【課題を解決するための手段】
【０００７】
前記課題を解決するために、本発明に係る薄型表示装置では、表示装置本体の前面に外周に張り出して形成される透明素材で形成される透明枠体を形成し、この透明枠体の前面に、表示装置本体の外周より外側に張り出した遮蔽手段を設けるようにする。
【発明の効果】
【０００８】
この発明によれば、透明枠体に入射する光は、透明素材の屈折率の関係で外側に屈折するので、遮蔽手段によって隠蔽される範囲を広くすることができるから、透明枠体を透視した際に表示装置本体を見えにくくすることができる。これにより、透明素材の筺体に表示画面が浮いた印象を利用者に抱かせることが可能な薄型表示装置を提供することができる。
【図面の簡単な説明】
【０００９】
【図１】本発明の第１の実施形態に係る薄型表示装置の概略構造図である。
【図２】本発明の第１の実施形態に係る薄型表示装置の部品展開図である。
【図３】本発明の第１の実施形態に係る薄型表示装置の原理図である。
【図４】本発明の第２の実施形態に係る薄型表示装置の概略構造図である。
【図５】本発明の第３の実施形態に係る薄型表示装置の概略構造図である。
【発明を実施するための形態】
【００１０】
以下、図１から図５を参照して、この発明に係る薄型表示装置を具体的に説明する。ここで、図１から図３が第１の実施形態に係る薄型表示装置を示し、図４が第２の実施形態に係る薄型表示装置を示し、図５が第３の実施形態に係る薄型表示装置を示している。ここで、同様な部位や矢印などは同一符号をもって示して、重複した説明を省略する。
【００１１】
（第１の実施形態）
先ず、図１から図３を参照して、この発明に係る薄型表示装置を具体的に説明する。ここで、図１は、本発明の第１の実施形態に係る薄型表示装置の概略構造図であり、図１（ａ）が縦断面図、図１（ｂ）が外観斜視図である。図２は、薄型表示装置の部品展開図である。図３は、薄型表示装置の薄型化の原理図である。
【００１２】
図１において、符号１で総括的に示すのは薄型表示装置であり、筺体１０の内部に液晶方式やプラズマ方式などの薄型の表示装置本体２０を備えている。この実施形態では、薄型表示装置１を、表示装置本体２０を備えた薄型の筺体１０と、この筺体１０を下方で支持するスタンド３０とから構成している。このスタンド３０は着脱可能であり、他のスタンドに取り換えたり、あるいは、このスタンド３０を取り外して壁面などに筺体１０を取り付けることもできる。
【００１３】
この実施形態に係る薄型表示装置１は、４０インチ以上の大型の表示画面２１を備えた表示装置本体２０を採用し、図示しないチューナ本体やスピーカ部とコードを介して接続されてテレビジョン受像機を構成する。表示装置本体２０の前面を構成する表示画面２１の前面は、シート状の１枚の透明パネル５０で覆われている。この透明パネル５０は、強化ガラスや透明樹脂材料（硬質アクリルパネル）で形成することができる。この実施形態では、軽量化を図るために透明樹脂材料を採用している。
【００１４】
そして、この実施形態に係る表示装置１の大きな特徴の１つは、表示装置本体２０の前面に外周に張り出して形成される透明素材で形成される透明枠体１１を形成し、この透明枠体１１の前面に、表示装置本体２０の外周より外側に張り出した遮蔽手段６０を設けた点にある。
【００１５】
即ち、奥行きのある筺体１０を薄く見せる造形として、筺体１０の前部を外周に張り出すように鍔状に形成する手法がよく使われる。しかし、この造形では、筺体１０の後部を、外側に張り出した前部で隠蔽するために、筺体１０の前部の張り出し量をある程度大きくしなければならない。このため、筺体の薄型感が得られる反面、筺体１０の正面の大きさが大きくなるという課題がある。
【００１６】
そこで、本発明者らは、光の屈折を利用して前記課題を軽減することを発想した。即ち、「プールの底が浅く見える」ということがよく言われる。これは、光は、空気と水という密度の違う物質を斜めに通るときに、その境界で屈折と反射が起こり、真っ直ぐではなく曲がってしまうという現象である。この現象によれば、プールの深さが縮んで見えることとなる。
【００１７】
本発明者らは、この現象に着目し、この現象を薄型表示装置１の筺体構造に応用することを発想した。つまり、筺体１０の前部に外周に張り出した透明枠体１１を設け、この透明枠体１１を介して筺体１０の奥行き方向を視認させる構造とした。しかし、単に透明枠体１１を外周に張り出しただけでは、筺体１０の後部全体が見えてしまうので、筺体１０を隠蔽する遮蔽手段６０を透明枠体１１の前部に設ける構造とした。
【００１８】
この構造によれば、利用者が筺体１０の正面から見た場合は、遮蔽手段６０によって筺体１０の後部が隠蔽される。そして、利用者が筺体１０の斜めから見た場合は、遮蔽手段６０の外側の透明枠体１１を透して見ることになる。この場合、透明枠体１１に入射した光は、筺体１０から離れる方向に屈折するので、奥行き寸法が縮んで見える。したがって、筺体１０の後部をこの屈折した光の影に収めれば、筺体１０の後部は利用者からは見えなくなる。
【００１９】
つまり、利用者は、遮蔽手段６０が透明枠体１１に浮いて見えることとなるので、透明素材の筺体１０に表示画面２１が浮いた印象を利用者に抱かせることができる。この点、従来の透明板材の裏面に表示装置本体２０を取り付けて表示画面２１を透明板材に浮いた印象を抱かせた技術では、厚い透明板材の裏面に目隠し部材を設けているために、本発明が狙いとする厚い透明板材の屈折を利用することができないから、遮蔽手段６０で言う目隠し部材の幅を広くしなければならない。
【００２０】
次に、図２を参照して、この実施形態に係る薄型表示装置１の大きな部品構成を説明する。
【００２１】
図２において、この実施形態に係る薄型表示装置１は、表示装置本体２０を備えた筺体１０と、この筺体１０を支持するスタンド３０とを含んで構成される。筺体１０は、透明素材で形成される透明枠体１１と、この透明枠体１１の前部に取り付けられるシート状の透明パネル５０と、透明枠体１１内に取り付けられる内部筺体１２と、内部筺体１２内に取り付けられる表示装置本体２０と、表示装置本体２０に裏面に取り付けられる制御基板１３とを含んで構成される。
【００２２】
透明枠体１１は、ガラス板や透明なポリカーボネート樹脂等によって形成され、その内部に開口部１４が形成されるように、上下と左右の枠体で構成される。この実施形態では、上下と左右の枠体を一体の構造物として形成しているが、４辺の部材を角部で連結する構造としてもよい。
【００２３】
透明パネル５０は、硬質アクリルパネルなどで形成される透明なシート状部材であり、透明枠体１１の開口部１４より大きく形成されている。そして、開口部１４の前部には、この透明枠体１１と同じ大きさの凹部１５が形成され、この凹部１５に透明パネル５０が取り付けられることにより、筺体１０の前部がフラットになるように形成されている。
【００２４】
内部筺体１２は、前記透明枠体１１の開口部１４内に収まる大きさを備えた箱状の構造体であり、その前部は開口され、後部には図示しない放熱穴が形成されている。この内部筺体１２には、裏面に制御基板１３を取り付けた表示装置本体２０が取り付けられる。そして、この実施形態では、表示装置本体２０を内蔵させた内部筺体１２を透明枠体１１の開口部１４に挿入して取り付ける構造としている。
【００２５】
この実施形態では、表示画面２１が透明パネル５０の裏面に密着するように表示装置本体２０を取り付けている。そして、遮蔽手段６０は、表示画面２１の外周を隠蔽する透明パネル５０の裏面側に、表示画面２１の非通電時の色彩と同じ暗調子の塗装を施している。したがって、透明パネル５０は、非通電時においては、遮蔽手段６０と表示画面２１とが同じ色彩で同化された１枚の暗調子のシート状の部材で構成される。
【００２６】
次に、図３を参照して、この実施形態の透明枠体１１で採用する透明材料は、屈折率が１．４以上のものを採用する。例えば、ガラスやアクリル樹脂などの透明樹脂材料の屈折率は、大よそ１．５前後以上の屈折率を備えている。つまり、空気の屈折率ｍを１とすると、透明パネル５０の屈折率ｎは１．５が設定される。
【００２７】
利用者が斜め横４５度の位置から透明枠体１１を通して筺体１０を見た場合を考えてみる。ここで、透明枠体１１の厚さＢを１０ｍｍとする。
【００２８】
透明枠体１１に対して入射角θ（４５度）で入射した光Ｐは、透明枠体１１の境界面Ｑ１で屈折角γに屈折し、透明枠体１１を出る境界面Ｑ２で再び屈折してもとの入射角（Θ）と同じ角度で透明枠体１１から出ることとなる。つまり、境界面Ｑ１が遮蔽手段６０の端部とすると、光Ｐの経路から右上は遮蔽手段６０によって隠蔽されて利用者から見えないが、光Ｐの経路から左下は利用者から見えることになる。
【００２９】
したがって、筺体１０の後端部の角部Ｚが境界面Ｑ２と同じ位置であれば丁度、筺体１０の角部Ｚが遮蔽手段６０の端部と重なって見えない限界点であるといえる。
【００３０】
入射角θと屈折角γとの関係は、以下の計算式で求めることができる。
【００３１】
空気の屈折率ｍ×sinΘ＝透明素材の屈折率ｎ×sinγ
上記計算式で、入射角θ（４５度）、透明枠体１１の厚さＢを１０ｍｍ、透明パネル５０の屈折率を１．５で計算すると、遮蔽手段６０の張出量Ａは約５ｍｍとなる。したがって、遮蔽手段６０の張出量Ａを透明枠体１１の肉厚Ｂの１／２に設定することにより、筺体１０の後部を遮蔽手段６０で隠蔽することができる。しかし、筺体１０の後部が透明枠体１１から僅かに見えたとしても、それは、透明枠体１１の奥に見えるものであるため、その見える量がわずかであれば、利用者からは遮蔽手段６０の影とも見えるので、遮蔽手段６０の張出量Ａを肉厚Ｂの１／２前後に設定することでも同様な効果を得ることができる。
【００３２】
（第２の実施形態）
次に、図４を参照して、この発明に係る薄型表示装置２を具体的に説明する。ここで、図４は、本発明の第２の実施形態に係る薄型表示装置の概略構造を示す縦断面図である。ここで同様な部位や矢印は同一符号をもって重複した説明を省略する。
【００３３】
図４において、この実施形態に係る薄型表示装置２は、透明枠体１１の開口部１４に表示装置本体２０を裏面側から取り付け、その後方をバックカバー７０で覆う構造を採用した点で、第１の実施形態と相違する。
【００３４】
即ち、この実施形態では、表示装置本体２０の周囲の後方に取付フランジ１６を形成し、この取付フランジ１６を介して開口部１４の後方より挿入される表示装置本体２０を透明枠体１１に取り付ける。そして、この表示装置本体２０を隠蔽するようにバックカバー７０を透明枠体１１に取り付ける構造を採用する。
【００３５】
ここで、バックカバー７０の周側面は、後方に向かって絞り込まれるような傾斜面７１で形成される。この傾斜面７１の角度は、図３に示したように、光Ｐの経路から右上の領域内にあるように設定されている。
【００３６】
（第３の実施形態）
次に、図５を参照して、この発明に係る薄型表示装置３を具体的に説明する。ここで、図５は、本発明の第３の実施形態に係る薄型表示装置の概略構造図である。ここで同様な部位や矢印は同一符号をもって重複した説明を省略する。
【００３７】
図５において、この薄型表示装置３の筺体１０は、透明材料で形成される透明枠体１１Ａと、透明枠体１１Ａの前部に取り付けられる透明パネル５０と、透明枠体１１Ａの裏面側に取付フランジ１６を介して取り付けられる表示装置本体２０と、表示装置本体２０の裏面に取り付けられる制御基板１３と、取付フランジ１６を含む表示装置本体２０と制御基板１３を裏面から覆うように透明枠体１１Ａに取り付けられるバックカバー７０とを含んで構成される。
【００３８】
この実施形態の透明枠体１１Ａは、板状の部材で構成され、その前部に凹部１５が形成され、この凹部１５に透明パネル５０が取り付けられることにより、透明枠体１１Ａの前部がフラットに形成される。表示装置本体２０は、その周囲の前部に取付フランジ１６が形成され、表示画面２１が透明枠体１１Ａの裏面に密着するように取付フランジ１６を介して透明枠体１１Ａに取り付けられる。
【００３９】
ここで、吹出内に示すように、透明パネル５０の周囲には遮蔽手段６０となる裏面印刷が施されている。この枠状の遮蔽手段６０の幅Ａ１は、表示画面２１の端部からバックカバー７０が取り付けられる外側の端部までを前面から隠蔽する幅Ａ２の外側と内側にそれぞれ張出量Ａを加えた幅に設定される。
【００４０】
この幅Ａ１の幅を備えた遮蔽手段６０であれば、遮蔽手段６０の外側から透明枠体１１Ａに入射した光Ｐは、第１の実施形態と同様に屈折して遮蔽手段６０の陰にバックカバー７０や取付フランジ１６などを隠蔽することができる。一方、遮蔽手段６０の内側は、正面から見ると、遮蔽手段６０と表示画面２１が同じ暗調子の色となっているため２つの部分が同化して１枚の透明パネル５０として利用者に認識させることができる。そして、遮蔽手段６０の内側の端部から斜めに入射する光Ｐ２は、透明枠体１１Ａに入射すると内側に屈折するので、表示画面２１の外側の部分を遮蔽手段６０の陰に隠すことができる。したがって、第１の実施形態と同様な作用効果を得ることができる。
【００４１】
このように、この実施形態に係る薄型表示装置は、表示装置本体の前面に外周に張り出して形成される透明素材で形成される透明枠体を形成し、この透明枠体の前面に、表示装置本体の外周より外側に張り出した遮蔽手段を設けたものである。この場合、前記遮蔽手段は、前記表示装置本体の非通電時の表示画面と同等の暗調子の色彩を備え、前記表示装置本体の前面に形成される表示画面を覆う大きさを備えて前記透明枠体の前面に取り付けられるシート状の透明パネルの外周に設けるようにするとよい。更に、前記遮蔽手段は、正面から見て表示画面と連続するように透明パネルの外周に付された裏面印刷するとよい。更に、前記透明枠体は、表示装置本体の外周を保持する透明部材ないしは、前記透明枠体は、表示装置本体の前面を覆う板状の透明部材であってもよい。
【００４２】
そして、前記透明枠体は、光の屈折率が１４以上を備えた透明材料で形成され、前記遮蔽手段は、暗調子が施された表示装置本体の表示画面の端部から前記透明枠体の厚さの１／２以上に設定され、前記表示装置本体の外周を覆う構造体は、表示画面の投影面積内に収めるようにするとよい。
【符号の説明】
【００４３】
１…薄型表示装置、１０…筺体、１１…透明枠体、１１Ａ…透明枠体、１２…内部筺体、１３…制御基板、１４…開口部、１５…凹部、１６…取付フランジ、２０…表示装置本体、２１…表示画面、３０…スタンド、５０…透明パネル、６０…遮蔽手段、７０…バックカバー、７１…傾斜面、Ａ…張出量。
【図１】
2012208317.tif 000003
【図２】
2012208317.tif 000004
【図３】
2012208317.tif 000005
【図４】
2012208317.tif 000006
【図５】
2012208317.tif 000007